Podtech/llm-jp-corpus-v4-ja_patent huggingface dataset:
(57)【要約】【課題】従来のチューブ容器は商品の包装容器としての機能が重要視され、再充填し繰り返し使用する機能は無く使い捨てタイプであった。そこで同一内容物のみならず自家製の食品でも収容可能となるプラスチック製リフィルチューブ容器を提供する。【解決手段】内容物を出しきったら使用者自身の手で再度充填可能とする、広口の容器開口部を擁したプラスチック製チューブ容器で、さらに内容物の粘度や固形物の有無・大きさ別に最適な開口部を選べるよう、複数の開口部を有するプラスチック製リフィルチューブ容器である。【選択図】図１
2008007199.tif 000002
【特許請求の範囲】
【請求項１】
閉じた形状を有するチューブ容器本体１と、このチューブ容器本体の一部に設けられる容器開口部２と、この容器開口部２の縁に形成される第一の螺合雌部と、この第一の螺合雌部に螺合する第一の螺合雄部を有する第一の蓋体３と、この第一の蓋体３に設けられ前記容器開口部２よりも小さな第二の開口部４と、この第二の開口部４の縁に形成される第二の螺合雌部と、この第二の螺合雌部に螺合する第二の螺合雄部を有する第二の蓋体５と、この第二の蓋体５に設けられ前記第二の開口部４よりも小さな第三の開口部６と、この第三の開口部６の縁に形成される第三の螺合雌部と、この第三の螺合雌部に螺合する第三の螺合雄部を有する第三の蓋体７と、を有することを特徴とするリフィルチューブ容器。
【発明の詳細な説明】
【技術分野】
【０００１】  本発明は包装容器としての使い捨てタイプのチューブ容器でなく使用者が再充填可能とする充填口を有するチューブ容器の構造に関する。
【背景技術】
【０００２】  下記の登録実用新案１には吐出口の反対側に充填用広口注入口を設ける構造が開示される。注入口を下に立てた状態で使用する。
登録実用新案１  実願２００３−２７１６０７号公報
【発明の開示】
【発明が解決しようとする課題】
【０００３】  しかしながら、登録実用新案１の技術では、注入口と注入口キャップの隙間から内容物が漏れ出したりする恐れがある。
この発明は、以上の問題点を解決するために、使用時や保管時に注入口からの内容物の漏出が防止されるのみならず、チューブ容器本体の形状が簡単で、内容物の性状に合わせて開口部の大きさを選択できるリフィルチューブ容器を提供することを目的とする。
【課題を解決するための手段】
【０００４】  以上の課題を解決するために、閉じた形状を有するチューブ容器本体１と、このチューブ容器本体の一部に設けられる容器開口部２と、この容器開口部２の縁に形成される第一の螺合雌部と、この第一の螺合雌部に螺合する第一の螺合雄部を有する第一の蓋体３と、この第一の蓋体３に設けられ前記容器開口部２よりも小さな第二の開口部４と、この第二の開口部４の縁に形成される第二の螺合雌部と、この第二の螺合雌部に螺合する第二の螺合雄部を有する第二の蓋体５と、この第二の蓋体５に設けられ前記第二の開口部４よりも小さな第三の開口部６と、この第三の開口部６の縁に形成される第三の螺合雌部と、この第三の螺合雌部に螺合する第三の螺合雄部を有する第三の蓋体７と、を有することを特徴とするリフィルチューブ容器である。
【発明の効果】
【０００５】  この発明によれば容器開口部２の縁と第一の蓋体３は螺合する構造を擁するだけで、チューブ容器本体の製造には従来の機械が利用可能である。
【発明を実施するための最良の形態】
【０００６】  この発明の実施形態を、図１、図２及び図３に示す。【０００７】  自家製のジャム・マーマレードや味噌等は小出しにして使う場面が多いが自分で充填可能な空容器は提供されていなかった。
「実施形態の効果」【０００８】  内容物を複数回にわたって消費する袋入り食品等は開封時に当リフィルチューブ容器に移し替えることにより、保管・消費が簡単に可能となる。【０００９】  固形物を含む食品であっても開口部４又は開口部２の大きい口を使うことにより滑らかに搾り出すことが可能である。【００１０】  缶詰容器の食品等を開蓋した状態で当チューブ容器に移し替えられるよう缶詰の直径より少し太くした容器本体・開口部２を有する。【００１１】  金属罐入のペットフードでは開封した後、保存の為に専用の蓋で密封したりラップフィルムを使用するが、径が異なる場合があったりラップフィルムが缶詰胴部に密着しなかったり保存に苦労している。【００１２】  金属罐入のペットフードを給餌する場合箸やスプーン等で掻き出したりすくい出す煩わしさがあるが、当リフィルチューブ容器に移し替えることにより最適な大きさの開口部がら搾り出して給餌することで簡単となり、保管するときも容易である。また、複数のペットフードを調合給餌する場合も複数の当リフィルチューブ容器から適量を搾り出せ調合が可能である。【００１３】  ビニルシートやビニル袋に包装され販売されているわさび漬や佃煮類は小型の当リフィルチューブ容器に移し替えることにより保存が簡単で食卓でも必要とする量が自由に搾り出せることが可能である。
「他の実施形態」【００１４】  以上の実施形態では、開口部は３つであったが、内容物の粘度や固形物の有無・大きさによりより多くの大きさの開口部を蓋体に用意しても良い。
【産業上の利用可能性】
【００１５】  シャンプーや塩・調味料では詰替えが消費者で可能な容器を提供し大容量の詰替用内容物を販売しているが、食品では前述の粉状や液体の醤油・ソースに限られている。当リフィルチューブ容器を提供することにより、味噌やバター等も詰替え用の販売が可能となる。
【図面の簡単な説明】
【００１６】
【図１】リフィルチューブ容器全体の断面図
【図２】総ての螺合部を開けた状態の断面図
【図３】リフィルチューブ容器全体の斜視図
【符号の説明】
【００１７】１  リフィルチューブ容器本体
２  容器開口部
３  第一の蓋体
４  第二の開口部
５  第二の蓋体
６  第三の開口部
７  第三の蓋体
【図１】
2008007199.tif 000003
【図２】
2008007199.tif 000004
【図３】
2008007199.tif 000005
(57)【要約】【課題】確実に把持できるピンチグリップタイプの偏平ボトルを提案する。【解決手段】一対の短辺壁3aと、この短辺壁3aにつながる一対の長辺壁3bとによって区画された略矩形状の断面をなす胴体部分3を有する合成樹脂製の偏平ボトルにおいて、前記胴体部分3の各長辺壁3bに、ボトルの長手方向に沿い間隔を開けて配列した少なくとも2つの凸部5を設け、この凸部5の相互間にボトルを把持する際の指の引っ掛かり部となる3つ以上の凹所6を形成する。【選択図】図１
2008007192.tif 000002
【特許請求の範囲】
【請求項１】
一対の短辺壁と、この短辺壁につながる一対の長辺壁とによって区画された略矩形状の断面をなす胴体部分を有する合成樹脂製の偏平ボトルであって、
前記胴体部分の各長辺壁に、ボトルの長手方向に沿い間隔を開けて配列した少なくとも2つの凸部を設け、この凸部の相互間にボトルを把持する際の指の引っ掛かり部となる3つ以上の凹所を形成してなる、ことを特徴とする合成樹脂製の偏平ボトル。
【請求項２】
前記胴体部分は、熱収縮により装着を可能とするシュリンクラベルを有する請求項1に記載の合成樹脂製の偏平ボトル。
【発明の詳細な説明】
【技術分野】
【０００１】
本発明は、二軸延伸ブロー成形法を適用して製造することができる合成樹脂製の偏平ボトルに関し、該ボトルのグリップ性の改善を図ろうとするものである。
【背景技術】
【０００２】
飲料水やジュース類、酒類あるいは醤油等の調味材をいれる容器としては、近年、二軸延伸ブロー成形によって製造された合成樹脂製のボトルが多用されている。
【０００３】
この種のボトルは、内容物の充填容量が1リットルを超える大型のものも多く存在し、片手による把持は困難であることから、別途に成形したグリップをボトルの本体に取り付けたり、製造コストの削減、ごみの減量化を図る観点から、ボトルの胴体部分に直接凹部を形成してその部位に指を引っ掛けてボトルを把持するようにしていた（例えば、特許文献1参照）。
【特許文献１】特開2001-23421号公報
【０００４】
ところで、胴体部分を直接把持するタイプのボトルは、とくにサイズが大型化していくにしたがい指の引っ掛かり具合が不安定となり、未だ改善の余地が残されていた。
【発明の開示】
【発明が解決しようとする課題】
【０００５】
本発明の課題は、胴体部分を直接把持するピンチグリップタイプのボトルにつき、該ボトルを確実に把持できる新規な合成樹脂製の偏平ボトルを提案するところにある。
【課題を解決するための手段】
【０００６】
本発明は、一対の短辺壁と、この短辺壁につながる一対の長辺壁とによって区画された略矩形状の断面をなす胴体部分を有する合成樹脂製の偏平ボトルであって、
前記胴体部分の各長辺壁に、ボトルの長手方向に沿い間隔を開けて配列した少なくとも2つの凸部を設け、この凸部の相互間にボトルを把持する際の指の引っ掛かり部となる3つ以上の凹所を形成してなる、ことを特徴とする合成樹脂製の偏平ボトルである。
【０００７】
上記の構成になる偏平ボトルは、その前記胴体部分に、熱収縮により装着を可能とするシュリンクラベルを備えることができる。
【発明の効果】
【０００８】
胴体部分の各長辺壁に、少なくとも2の凸部を設けて、その凸部の間に指を引っ掛ける部位を、3ヶ所以上設けたのでボトルを確実に把持することが可能となり、グリップ性が改善される。
【発明を実施するための最良の形態】
【０００９】
以下、図面を用いて本発明をより具体的に説明する。
図1〜3は、本発明に従う合成樹脂製の偏平ボトルの実施の形態を示した図であり、1はボトルの口部、2は口部1につながる肩部、3は横溝Lを介して肩部2につながる胴体部分である。この胴体部分3は、一対の短辺壁3aとこの短辺壁3aにつながる一対の長辺壁3bからなっており、これにより該胴体部分3は略矩形状の断面をなしている。
【００１０】
また、4は横溝L′を介して胴体部分3の下端につながる底部、5は各長辺壁3bに設けられた凸部、6は凸部5の相互間に形成された3つの例で示した凹所である。
【００１１】
ボトルの胴体部分3の短辺側3aを正面にして該胴体部分3を把持する（この部位がグリップとなる）と、長辺壁3bの凹所6に指をあてがうことができ、この時、該指が凸部5に引っ掛かるためボトルを安定して把持できることになる。
【００１２】
凸部5は、図4に示すように、胴体部分3の外表面（図2の仮想線）と同程度の突出代tとするのがよく、このため長辺壁3bはその全体をボトルの内側に向けて極僅かに湾曲させるか、凸部5を形成する領域に区画凹所を設けるか、あるいはその両方を組み合わせることにより突出代を確保する。
【００１３】
胴体部分3はグリップ性の改善のためその外表面を凹状とすることが可能で、その周りには熱収縮によって装着できるシュリンクラベルを装着することができる。この場合でも指の引っ掛かりがよくボトルの安定した把持が可能となる。
【産業上の利用可能性】
【００１４】
指の引っ掛かりがよく安定して把持できるピンチグリップタイプのボトルが提供できる。
【図面の簡単な説明】
【００１５】
【図１】は本発明に従う合成樹脂製の偏平ボトルの実施の形態を示した図である。
【図２】図1に示したボトルの側面を示した図である。
【図３】図1に示したボトルの平面を示した図である。
【図４】図1のA-A断面を示した図である。
【符号の説明】
【００１６】
1  ボトルの口部
2  肩部
3  胴体部分
3a  短辺壁
3b  長辺壁
4  底部
5  凸部  
6  凹所
L  横溝
L′横溝
【図１】
2008007192.tif 000003
【図２】
2008007192.tif 000004
【図３】
2008007192.tif 000005
【図４】
2008007192.tif 000006
(57)【要約】      （修正有）【課題】  紙パックの注ぎ口は、一度左右の淵を押し広げ、二度目に注ぎ口を引き出す二段方式で有り、開けずらくこぼす事も多かった。【解決手段】  紙パック１の注ぎ口２の三角部分に引き手４を付け、左右の淵３を押し広げる事なく、引き手４を手前に引くだけで注ぎ口２を引き出す事が出来るようになり、紙パック１の注ぎ口２が開けやすくなり中身をこぼす事も少なくなる。【選択図】図１
2008007198.tif 000002
【特許請求の範囲】
【請求項１】
紙パックの注ぎ口の三角部分に引き手を付け、左右の淵を押し広げずに、取り付けた引き手を引く事によって、注ぎ口を引き出す引き手。
【発明の詳細な説明】
【技術分野】
【０００１】  紙パックの注ぎ口の三角部分に引き手を付け、左右の淵を押し広げずに、引き手を引くだけで注ぎ口を一度で引き出す事が出来る。
【背景技術】
【０００２】  紙パックの注ぎ口は左右の淵を押し広げ、三角部分の注ぎ口を引き出すが、注ぎ口の三角部分に引き手を付け、左右の淵を押し広げる事なく、引き手を引くだけで注ぎ口を引き出す事が出来る。
【発明の開示】
【発明が解決しようとする課題】
【０００３】  従来の紙パックの注ぎ口は、一度左右の淵を押し広げ、二度目に注ぎ口を引き出す二段方式で有り、明けずらくこぼす事も多かった。
【課題を解決するための手段】
【０００４】  紙パックの三角部分の注ぎ口に引き手を付け、左右の淵を押し広げる事なく、引き手を手前に引くだけで注ぎ口を引き出す事が出来る。
【発明の効果】
【０００５】  本発明を使用する事により、従来の紙パックの注ぎ口の取り出し方は、一度左右の淵を押し広げ、二度目に注ぎ口引き出していたが、取り付けた引き手を手前に引く行為のみで注ぎ口が引き出される為、開けやすくなり中身をこぼす事も少なくなる。
【発明を実施するための最良の形態】
【０００６】  紙パックの注ぎ口の三角部分に、図１、図２、図３、等の引き手を付け、左右の淵を押し広げる事なく、引き手を手前に引くだけで簡単に注ぎ口を引き出す事が出来る。
【実施例】
【０００７】
【図面の簡単な説明】
【０００８】
【図１】注ぎ口と引き手−例Ａ
【図２】注ぎ口と引き手−例Ｂ
【図３】注ぎ口と引き手−例Ｃ
【符号の説明】
【０００９】１      本体
２      注ぎ口
３      淵
４      引き手
【図１】
2008007198.tif 000003
【図２】
2008007198.tif 000004
【図３】
2008007198.tif 000005
(57)【要約】【課題】  整髪・洗髪剤等を使用するとき特別に櫛を用意しなくても容器の部品で間に合う容器として提供する。【解決手段】  整髪・髪染め・洗髪剤等の容器のキャップを丸櫛形にすることによって、特別に櫛を用意しなくても容器の部品で目的が達成できることが特徴の丸櫛付容器とする。【選択図】図１
2008007197.tif 000002
【特許請求の範囲】
【請求項１】
容器のキャップを丸櫛にすることを特徴とする丸櫛キャップ付容器。
【発明の詳細な説明】
【技術分野】
【０００１】  本発明は、容器のキャップに関する。
【背景技術】
【０００２】従来、容器と櫛は個別に存在していた。又、容器のキャップには出口を塞ぐ栓の役目をするキャップと、スプレー等のようにプッシュボタンをカバーするキャップもあった。
【発明の開示】
【発明が解決しようとする課題】
【０００３】  従来のものには次のような問題点があった。
整髪・洗髪剤等を使用するときは別に櫛を用意する必要があった。
本発明は、これらの問題点を解決するためのものである。
【課題を解決するための手段】
【０００４】  整髪・髪染め・洗髪剤、等頭髪関係容器のキャツプを丸櫛にすることによって、使用に際して特別に櫛を用意しなくても容器の部品で簡単に髪を梳き整え、或いは、細かく洗い、頭皮のマッサージもできることを特徴とする丸櫛キャップ付容器とする。
【発明の効果】
【０００５】  整髪剤・髪染め剤のときは、適量をキャップの内側に出して頭を撫でるだけでキャップがそのまま髪梳具になる。【０００６】  容器の内容物が洗髪剤のときはキャップで髪を細かく洗うことができ、又、同時に頭皮をマッサージすることもできる。
【実施するための最良の形態】
【０００７】以下、本発明容器の一例としてスプレー式容器の場合の実施形態について説明する。
（イ）円筒形のキャップ（１）に縦に切れ目を入れてキャップ全体を丸櫛（２）にする。
（ロ）容器（３）の肩にキャップの先端部が安定的に保持される深さの溝（４）を設ける。
（ハ）溝（４）に丸櫛（２）の先端部を嵌め込んでキャップ（１）を着脱可能に保持させる。
（ニ）これを使用するときは、キャップ（１）を外して内側に適量の内容物を取り出しキャップ（１）を頭髪部にあてて撫でれば、内容物が頭髪に馴染み容易に整髪、髪染め、洗髪ができる。
（ホ）何れも内容物を他に付着させず無駄なく使用することができる。
【図面の簡単な説明】
【０００８】
【図１】本発明丸櫛キャップの斜視図
【図２】本発明容器の一例を示す、スプレー容器の斜視図
【図３】本発明容器の一例を示す、チューブ容器の斜視図
【符号の説明】
【０００９】１  キャップ
２  丸櫛
３  容器
４  溝
５  口
６  中蓋
【図１】
2008007197.tif 000003
【図２】
2008007197.tif 000004
【図３】
2008007197.tif 000005
(57)【要約】【課題】  比較的硬質の紙製パック容器にあっては、開口後にこれを完全に密閉しなければ、その開口耳部から内部の液体が遺漏し易い構造に成っているため、本発明は、この種パック容器の開口部における密封度を完全なものにした口止め用キャップを提供することを目的とする。【解決手段】  本発明は、狭巾逆Ｕ形状に成る基体７の左右両底端部８，８が外方に曲折形成し、この左右両底端部から間隔部１０をおいて狭圧部１１，１１を一体に形成し、前記間隔部をパック容器の閉口耳部に挿入固定し、前記基体の一端部の左右両端部から斜め上方に突設した耳片１２，１２の通孔１３，１３に回転し得る突軸６，６及び耳片５，５を設けて成る本体１において、狭巾逆Ｕ形状に成る本体の左右両側壁の内側適所に凸出部３，３を形成して成るキャップである。【選択図】    図２
2008007189.tif 000002
【特許請求の範囲】
【請求項１】
狭巾逆Ｕ形状に成る基体の左右両底端部が外方に曲折形成し、この左右両底端部から間隔部をおいて狭圧部を一体に形成し、前記間隔部をパック容器の閉口耳部に挿入固定し、前記基体の一端部の左右両端部から斜め上方に突設した耳片の通孔に回転し得る突軸及び耳片を設けて成る本体において、狭巾逆Ｕ形状に成る本体の左右両側壁の内側適所に凸出部を形成して成ることを特徴とする紙パック容器口止め用キャップ。
【請求項２】
本体の左右両側壁の外側適所に指掛り止め部を有する摘み凹部を設けて成る請求項１に記載した紙パック容器の口止め用キャップ。
【発明の詳細な説明】
【技術分野】
【０００１】
本発明は、比較的硬質の紙製パック容器における口止め用キャップに関するものである。
【背景技術】
【０００２】
比較的硬質の紙製パック容器にあっては、開口後にこれを完全に密閉しなければ、内部の液体が遺漏し易い構造に成っているため、それを防止する目的の各種のキャップが創作されていて、例えば次のようなものがある。
【０００３】
【特許文献１】実開平５−８６８１３号公報
【特許文献２】実開平６−３００１９号公報
【特許文献３】特許第３３５５８００号公報
【発明の開示】
【発明が解決しようとする課題】
【０００４】
しかしながら、これらのキャップを用いたパック容器を利用して内部に各種の液体を収容した場合に、この容器を逆様状態にしたときには漏洩するおそれが想定できる構造であることに鑑み、本発明は、この種パック容器の開口部における密封度を完全なものにした口止め用キャップを提供することを目的とする。
【課題を解決するための手段】
【０００５】
本発明は、狭巾逆Ｕ形状に成る基体の左右両底端部が外方に曲折形成し、この左右両底端部から間隔部をおいて狭圧部を一体に形成し、前記間隔部をパック容器の閉口耳部に挿入固定し、前記基体の一端部の左右両端部から斜め上方に突設した耳片の通孔に回転し得る突軸及び耳片を設けて成る本体において、狭巾逆Ｕ形状に成る本体の左右両側壁の内側適所に凸出部を形成して成るキャップである。
【発明の効果】
【０００６】
パック容器の閉口耳部は本体内部の凸出部からの面圧力によって間隙は完全に密封されることになるから、内部液体の漏洩は容器を逆様状態にしても起らないようになる。
【０００７】
したがって、開閉し得るように使用するパック容器を、種々の作業のために安心して使用することができる。
【発明を実施するための最良の形態】
【０００８】
いま開口したパック容器の耳部に本キャップを取付けるときは、まず４枚重ねの閉口状態になる耳部に対し、後側壁部を有する基体の左右両底端部と下方の狭圧部との間に形成した間隔部を挿入して固定する。このとき、基体と一体と成る本体は突軸を介して上方向に転回しておき、基体の固定後には、下方向に逆転回してパック容器の閉口耳部に本体の空間部を嵌着するようにする。
【０００９】
すると、本体の左右両側壁内の両凸出部が前記閉口耳部を左右両側面から加圧縮するようになるから、閉口耳部を完全に塞ぐことになり、その密封度は完全なものとなる。
【実施例】
【００１０】
１は狭巾逆Ｕ形状に成る本体で、この本体の左右両底端部２，２は外方に曲折形成する。
【００１１】
１'は前記本体１内部に形成する空間部である。
【００１２】
３，３は前記本体１の左右両側壁の内側適所に設けた縦長方形状に成る凸出部で、この左右両凸出部によってパック容器ａの閉口耳部ｂ，ｂを加圧閉口するようになる。
【００１３】
前記凸出部３，３の厚さは一方では０．５ｍｍ位とするから、両方からの加圧時には１ｍｍ位の厚さによる加圧力が作用することになる。
【００１４】
４，４は前記本体１の左右両側壁の外側適所に設けた摘み凹部で、この凹部には二本の指先の掛り止め部４'，４'を形成する。
【００１５】
５，５は前記本体１の一端部の左右両端部から斜め上方に突設した円形の耳片で、この左右両耳片の中心部外側には突軸６，６を設ける。
【００１６】
７は狭巾逆Ｕ形状に成る基体で、この基体の左右両底端部８，８は外方に曲折形成する。
【００１７】
９は前記基体７の後側壁部で、この後側壁部の下端部には前記左右両底端部８，８から間隔部１０をおいて狭圧部１１を一体に形成する。
【００１８】
前記間隔部１０にはパック容器ａの閉口耳部ｂ，ｂが挿入して固定するようになる。
【００１９】
１２，１２は前記基体７の一端部の左右両端部から斜め上方に突設した円形の耳片で、この左右両耳片の中心部には通孔１３，１３を設け、この通孔には前記本体１側の耳片５，５の突軸６，６が枢着するように成る。
【００２０】
１４は前記両耳片１２，１２間に形成される空間部で、この空間部には前記本体１の頂上部が１８０°まで転回し得るように成る。
【図面の簡単な説明】
【００２１】
【図１】全体の斜視図
【図２】全体の一部切欠斜視図
【図３】全体の使用時の斜視図
【図４】図１Ａ−Ａ線の断面図
【図５】要部の使用時の断面図
【符号の説明】
【００２２】
１                      本体
１'                    空間部
２，２                  左右両底端部
３，３                  凸出部
４，４                  摘み凹部
４'，４'              掛り止め部
５，５                  耳片
６，６                  突軸
７                      基体
８，８                  左右両底端部
９                      後側壁部
１０                    間隔部
１１                    狭圧部
１２，１２              耳片
１３，１３              通孔
１４                    空間部
【図１】
2008007189.tif 000003
【図２】
2008007189.tif 000004
【図３】
2008007189.tif 000005
【図４】
2008007189.tif 000006
【図５】
2008007189.tif 000007
(57)【要約】      （修正有）【課題】離れた位置からでも運転方向を確認することができ、利便性を向上させることができる乗客コンベアを得る。【解決手段】移動手摺４の側面には、蛍光体による模様４ａが移動手摺４の全長に渡って付されている。この例では、模様４ａは、多数の長円を等間隔で移動手摺４の長手方向に１列に並べた幾何学模様である。欄干フレーム６内には、窓部６ａを通して模様４ａにブラックライトを照射するブラックライト発光部が設けられている。ブラックライト発光部は、移動手摺４の長手方向の一部にブラックライトを照射する。【選択図】図２
2008007238.tif 000002
【特許請求の範囲】
【請求項１】
側面に蛍光体による模様が付されている移動手摺、及び
上記移動手摺の側面にブラックライトを照射するブラックライト発光部
を備えていることを特徴とする乗客コンベア。
【請求項２】
上記ブラックライト発光部は、上記移動手摺の長手方向の一部のみにブラックライトを照射することを特徴とする請求項１記載の乗客コンベア。
【発明の詳細な説明】
【技術分野】
【０００１】
この発明は、例えばエスカレータや動く歩道などの乗客コンベアに関するものである。
【背景技術】
【０００２】
従来の乗客コンベアでは、乗客コンベアの運転方向を矢印で示す運転状態表示部が欄干の端部デッキカバーに設けられている（例えば、特許文献１参照）。
【０００３】
【特許文献１】特開２００５−１１２６０３号公報
【発明の開示】
【発明が解決しようとする課題】
【０００４】
上記のような従来の乗客コンベアでは、運転状態表示部が端部デッキカバーに設けられているので、利用者が乗降口の正面まで行かないと運転方向を確認することができなかった。このため、利用者が乗降口近くで目的の運転方向と逆方向であることに気付き、そこから他の乗客コンベアの乗降口へ移動することがしばしばあった。これは、利用者本人が不便なだけでなく、周りの利用者の動線を乱すことにもなる。また、乗降口の正面まで来れば、踏段の動きで運転方向を容易に確認できるため、高額の運転状態表示部を用いることはコストの割に効果が低かった。
【０００５】
この発明は、上記のような課題を解決するためになされたものであり、離れた位置からでも運転方向を確認することができ、利便性を向上させることができる乗客コンベアを得ることを目的とする。
【課題を解決するための手段】
【０００６】
この発明に係る乗客コンベアは、側面に蛍光体による模様が付されている移動手摺、及び移動手摺の側面にブラックライトを照射するブラックライト発光部を備えている。
【発明の効果】
【０００７】
この発明の乗客コンベアは、ブラックライトの照射により発光した模様が移動手摺の移動方向へ移動するため、離れた位置からでも運転方向を確認することができ、利便性を向上させることができる。
【発明を実施するための最良の形態】
【０００８】
以下、この発明を実施するための最良の形態について、図面を参照して説明する。
実施の形態１．
図１はこの発明の実施の形態１によるエスカレータを示す斜視図である。図において、上下階間には、主枠（トラス）１が架設されている。主枠１内には、無端状に連結され循環移動される複数の踏段２が設けられている。主枠１上の踏段２の両側には、一対の欄干３が立設されている。各欄干３には、踏段２と同期して循環移動される無端状の移動手摺４が設けられている。
【０００９】
図２は図１のＡ〜Ｃ部を拡大して示す斜視図、図３は図１のＡ〜Ｃ部を拡大して示す側面図、図４は図１のＡ〜Ｃ部の断面図である。図において、移動手摺４の外側（反踏段２側）の側面には、蛍光体（蛍光塗料）による模様４ａが移動手摺４の全長に渡って付されている。この例では、模様４ａは、多数の長円（又は長方形）を移動手摺４の長手方向に等間隔で１列に並べた幾何学模様である。
【００１０】
各欄干３は、欄干パネル５、欄干パネル５の上部に固定されている欄干フレーム６、欄干フレーム６内に設けられている照明器具７、及び欄干フレーム６上に設けられ、移動手摺４の摺動を案内する手摺レール８を有している。
【００１１】
図１のＡ部（上部乗降口付近）、Ｂ部（中間部）及びＣ部（下部乗降口付近）における欄干フレーム６の上面部には、模様４ａに対向する窓部６ａが設けられている。即ち、窓部６ａは、移動手摺４の経路の両端部及び中間部の合計３箇所に配置されている。
【００１２】
欄干フレーム６内には、窓部６ａを通して模様４ａにブラックライトを照射するブラックライト発光部９が設けられている。この例では、３つのブラックライト発光部９が用いられており、各ブラックライト発光部９は、移動手摺４の長手方向の一部にブラックライトを照射する。ブラックライトは不可視光であるが、模様４ａにブラックライトを照射することにより、模様４ａから可視光が発光される。
【００１３】
このようなエスカレータでは、ブラックライトの照射により発光した模様４ａが移動手摺４の移動方向へ移動するため、離れた位置からでも運転方向を確認することができ、利便性を向上させることができる。例えば上方向運転のエスカレータと下方向運転のエスカレータとが横から見て交差するように設置されている状態（いわゆるクリス・クロス設置状態）においても、移動手摺４の側面を見ることにより、離れた位置から運転方向を容易に確認することができる。
【００１４】
また、ブラックライトは移動手摺４の一部のみに照射され、移動手摺４の殆どの部分では模様４ａは発光せず、移動手摺４本来の色のみが見えるため、移動手摺４に通常塗料による模様を付す場合に比べて、エスカレータや建物の美観を損なうことがない。
さらに、模様４ａは、移動手摺４の側面に設けたので、移動手摺４を駆動するローラ（図示せず）との接触により模様４ａが削り落とされることがなく、長期間安定して発光させることができる。
さらにまた、図４に示すように、模様４ａは、移動手摺４の側面の上下方向の中間よりも下側に付されているので、踏段２上の利用者からは目立たず、美観を損なうことがない。また、建物内の照明からの影響を受けにくく、視認性に優れている。
また、ブラックライト発光部９が欄干フレーム６内に収容されているので、意匠性に優れている。
【００１５】
なお、ブラックライト発光部の数や位置は上記の例に限定されるものではなく、乗客コンベアの設置状況に応じて適宜変更可能である。
また、模様の種類も上記の例に限定されるものではない。
さらに、上記の例ではエスカレータについて説明したが、この発明は動く歩道にも適用できる。
【図面の簡単な説明】
【００１６】
【図１】この発明の実施の形態１によるエスカレータを示す斜視図である。
【図２】図１のＡ〜Ｃ部を拡大して示す斜視図である。
【図３】図１のＡ〜Ｃ部を拡大して示す側面図である。
【図４】図１のＡ〜Ｃ部の断面図である。
【符号の説明】
【００１７】
４  移動手摺、４ａ  模様、９  ブラックライト発光部。
【図１】
2008007238.tif 000003
【図２】
2008007238.tif 000004
【図３】
2008007238.tif 000005
【図４】
2008007238.tif 000006
(57)【要約】【課題】小さい空間に可撓導体を収納することができ、回路遮断器の小型化を図り、また、通電容量を確保するために可撓導体を二本使う場合でも、接合作業の増加を抑えることができる回路遮断器を提供する。【解決手段】主回路を開閉するための可動接触子２３と、可動接触子２３を駆動するための開閉機構部２４と、主回路の一部を構成する固定導体２５と可動接触子２３とを接続する可撓導体２７と、を備えた回路遮断器において、固定導体２５または可動接触子２３からの可撓導体２７の引出し方向が、可動接触子２３の運動平面と概ね直交する方向である。可動接触子２３の運動平面と概ね直交する方向へ可撓導体２７を引き出し、折り返して収納する。【選択図】図１
2008186664.tif 000002
【特許請求の範囲】
【請求項１】
主回路を開閉するための可動接触子と、該可動接触子を駆動するための開閉機構部と、前記主回路の一部を構成する固定導体と前記可動接触子とを接続する可撓導体と、を備えた回路遮断器において、
前記固定導体または前記可動接触子からの可撓導体の引出し方向が、前記可動接触子の運動平面と概ね直交する方向であることを特徴とする回路遮断器。
【請求項２】
請求項１記載の回路遮断器において、
前記可動接触子の運動平面と概ね直交する方向へ可撓導体を引き出し、折り返して収納したことを特徴とする回路遮断器。
【請求項３】
請求項１記載の回路遮断器において、
前記可撓導体は、その両端を前記固定導体と前記可動接触子の一方に接続し、概ね導体中間部分を固化した接合部を前記固定導体と前記可動接触子の他方と接合することを特徴とする回路遮断器。
【発明の詳細な説明】
【技術分野】
【０００１】
本発明は、過電流から電路を保護する回路遮断器に関するものである。
【背景技術】
【０００２】
回路遮断器における可動接触子は、一般的に可撓導体によって主回路の一部を構成する固定導体と接続する構造が採用されている。この可撓導体は、可動接触子の開閉操作に追従するための余長を確保し、かつこれを撓ませた時に生ずる反力が、開閉操作や接点の接触状態に影響を与えないようにしなければならない。このため、可撓導体の収納部にはある程度余裕を持った空間を確保することが必要となり、このことが回路遮断器を小型化する上での課題となっている。これを解決するため、例えば特許文献１に示すように可動接触子の側方に可撓導体接合部を配置し、可撓導体をＵ字型にして接続する方法などが考案されている。しかしながらこの方法によっても、固定導体そのものが大型化により可撓導体の存在空間を圧迫したり、固定導体の材料費が増大するなどの問題点があった。
【特許文献１】特開平３−２０５７３３号公報
【発明の開示】
【発明が解決しようとする課題】
【０００３】
回路遮断器の可動接触子と固定導体を接続する可撓導体は、可動接触子の開閉操作に追従するための余長を確保し、かつ可撓導体を撓ませた時に生ずる反力が、開閉操作や接点の接触状態に影響を与えないようにしなければならない。このため、可撓導体の収納部にはある程度余裕をもった空間が必要となり、このことが回路遮断器を小型化する上での課題となっている。また、必要な通電容量を確保するために可撓導体を二本使用する場合、接合作業の回数が増えるという問題点もあった。
【０００４】
本発明は、小さい空間に可撓導体を収納することができ、回路遮断器の小型化を図り、また、通電容量を確保するために可撓導体を二本使う場合でも、接合作業の増加を抑えることができる回路遮断器を提供することを目的とする。
【課題を解決するための手段】
【０００５】
本発明は、主回路を開閉するための可動接触子と、該可動接触子を駆動するための開閉機構部と、前記主回路の一部を構成する固定導体と前記可動接触子とを接続する可撓導体と、を備えた回路遮断器において、前記固定導体または前記可動接触子からの可撓導体の引出し方向が、前記可動接触子の運動平面と概ね直交する方向である回路遮断器である。
【０００６】
また、本発明は、前記可動接触子の運動平面と概ね直交する方向へ可撓導体を引き出し、折り返して収納した回路遮断器である。
【０００７】
そして、本発明は、前記可撓導体が、その両端を前記固定導体と前記可動接触子の一方に接続し、概ね導体中間部分を固化した接合部を前記固定導体と前記可動接触子の他方と接合する回路遮断器である。
【発明の効果】
【０００８】
本発明によれば、小さい空間に可撓導体を収納することができ、回路遮断器の小型化を図ることができる。また、通電容量を確保するために可撓導体を二本使う場合でも、接合作業の増加を抑えることができる。
【発明を実施するための最良の形態】
【０００９】
本発明を実施するための最良の形態を説明する。
本発明の回路遮断器の実施例について、図面を用いて説明する。
【実施例１】
【００１０】
実施例１を説明する。図１（ａ）（ｂ）は本実施例の回路遮断器における可動接触子を示す。本実施例の回路遮断器は、可動接触子１１と、主回路の一部を構成する固定導体１４とを可撓導体１２で接続したものである。通常の開閉操作において、可動接触子１１は可動接触子の回転運動軌跡１ａのように運動する。固定導体１４からの可撓導体１２の引出し方向１ｂは、可動接触子の運動軌跡１ａが構成する平面に概ね直交する方向になっている。また、固定導体１４から引出した可撓導体１２は、Ｕ字状に折り返した状態で収納される。このことにより、可動接触子１１が運動した場合、可撓導体１２には曲げと捻りが同時に起こるため、可撓導体１２の柔軟性が高まり、小さい空間に収納した場合でも可動接触子１１の運動を阻害しなくなる。また、可撓導体１２の概ね中間部分には圧縮成形などの方法によって固化された接合部１３を設けており、接合作業を容易にしている。
【００１１】
図２は本実施例の回路遮断器の構造を示す。本実施例の回路遮断器は、固定接触子２１、消弧装置２２、可動接触子２３、開閉機構部２４、固定導体２５などをモールドケース２６に収納したものである。可撓導体２７は可動接触子２３と固定導体２５の間にある小さい空間に収納されるが、上記で説明した理由で可撓導体２７は可動接触子２３の運動を阻害しない。
【００１２】
以上説明したように、本実施例は、固定導体または可動接触子から、可動接触子の運動平面と概ね直交する方向へ可撓導体を引出すように接合する。また、このように引出した可撓導体を可動接触子の側方に折り返して収納する。このことにより、可撓導体を小さい空間に収納した場合でも、捻りを利用して柔軟性を高め、開閉操作や接点の接触状態に影響を与えないようにする。
【００１３】
また、通電容量確保のために可撓導体を二本接続する場合には、一本の可撓導体の中間部を固化して接合部を形成することにより、固定導体または可動接触子への接合作業を一回にすることができる。そして、回路遮断器の小型化を図ることができる。
【図面の簡単な説明】
【００１４】
【図１】実施例の可動接触子組立品の構造図。
【図２】実施例の回路遮断器の構造図。
【符号の説明】
【００１５】
１１：可動接触子、１２：可撓導体、１３：接合部、１４：固定導体、１ａ：可動接触子の運動軌跡、１ｂ：可撓導体の引出し方向、２１：固定接触子、２２：消弧装置、２３：可動接触子、２４：開閉機構部、２５：固定導体、２６：モールドケース、２７：可撓導体
【図１】
2008186664.tif 000003
【図２】
2008186664.tif 000004
(57)【要約】【課題】装置で矩形形状に成形された鉄心を、予め装置にセットしてある台ごと吊上げ運搬することにより直接鉄心に力をかけなくて良くなり、形状の保持を容易にした鉄心搭載具及び鉄心運搬焼鈍方法を提供する。【解決手段】矩形成形された鉄心１を搭載したまま焼鈍位置まで吊り上げて運搬され、鉄心１を搭載したまま焼鈍処理される鉄心搭載具２。鉄心１は、内周鉄板が溶接３され、かつ、外周が鋼帯４にて固定した状態で搭載され、運搬され、焼鈍される。【選択図】図３
2008186916.tif 000002
【特許請求の範囲】
【請求項１】
矩形成形された鉄心を搭載したまま焼鈍位置まで吊り上げて運搬され、前記鉄心を搭載したまま焼鈍処理されることを特徴とする鉄心搭載具。
【請求項２】
請求項１記載の鉄心搭載具において、
前記鉄心は、内周鉄板が溶接され、かつ、外周が鋼帯にて固定した状態で搭載され、運搬され、焼鈍されることを特徴とする鉄心搭載具。
【請求項３】
矩形成形された鉄心を鉄心搭載具に搭載し、次に前記鉄心を搭載したまま焼鈍位置まで吊り上げて運搬し、次に前記鉄心を搭載したまま焼鈍処理することを特徴とする鉄心運搬焼鈍方法。
【発明の詳細な説明】
【技術分野】
【０００１】
本発明は、鉄心搭載具及び鉄心運搬焼鈍方法に関し、特に薄い金属短冊素材を積層して矩形形状に加工した鉄心を鉄心搭載具に搭載し、そのまま焼鈍処理する技術に関する。
【背景技術】
【０００２】
従来、矩形形状に成形した鉄心の四辺を鉄板で挟み込んでボルトにて締付け固定した後、焼鈍位置まで運搬して焼鈍作業を行っていた（特許文献１参照）。
【特許文献１】特開２００５−２８６１６９号公報
【発明の開示】
【発明が解決しようとする課題】
【０００３】
従来の方法は、以下の通りであり、問題を生じていた。
（１）矩形形状に成形された鉄心は、そのままでは矩形形状の保持が困難である為鉄板で挟み込んで固定することにより吊上げが出来るようにしていた。
（２）鉄心は重量物で大きく作業が行いづらい。
（３）鉄心形状を保持する為の鉄板を数多く用意しなければならず置き場所、運搬などに手間を要する。
（４）鉄心形状を保持する板やボルト類が、繰り返し使用することにより変形、焼付き等が生じ、定期的に補充の必要がある。
【課題を解決するための手段】
【０００４】
上記の課題を解決する為に、本発明は、装置で矩形形状に成形された鉄心を、予め装置にセットしてある台ごと吊上げ運搬することにより直接鉄心に力をかけなくて良くなり、形状の保持を容易にした。
【０００５】
すなわち、本発明は、矩形成形された鉄心を搭載したまま焼鈍位置まで吊り上げて運搬され、前記鉄心を搭載したまま焼鈍処理される鉄心搭載具である。
【０００６】
また、本発明は、前記鉄心は、内周鉄板が溶接され、かつ、外周が鋼帯にて固定した状態で搭載され、運搬され、焼鈍される鉄心搭載具である。
【０００７】
そして、本発明は、矩形成形された鉄心を鉄心搭載具に搭載し、次に前記鉄心を搭載したまま焼鈍位置まで吊り上げて運搬し、次に前記鉄心を搭載したまま焼鈍処理する鉄心運搬焼鈍方法である。
【発明の効果】
【０００８】
本発明により、矩形形状に成形された鉄心を芯金等による固定をせずに焼鈍出来るので、下記の効果がある。
（１）芯金等による固定が不要。
（２）芯金レスの為、焼鈍効率の向上。
（３）芯金レス焼鈍により鉄心特性の向上。
（４）芯金置き場不要。
【発明を実施するための最良の形態】
【０００９】
本発明を実施するための最良の形態を説明する。
本発明の鉄心搭載具の実施例を図面に基づいて説明する。
【００１０】
実施例を説明する。本実施例の鉄心搭載具は、図１、図２に示すように、板状体からなる。そして、図３に示すように、鉄心搭載具２の上に鉄心を搭載し、搭載したまま焼鈍処理の位置まで、運搬することができる。鉄心搭載具２は、隙間を有するほぼ長方形の板状であるので、大きさの異なる鉄心を搭載することができ、また、鉄心成形処理や焼鈍処理時に、隙間を利用して、鉄心の支持具を設置したり、鉄心の溶接作業や鉄心外周の固定作業を行うことができる。
【００１１】
本実施例の鉄心搭載具を使用した運搬焼鈍方法の例を具体的に説明する。鉄心搭載具２を予め鉄心成形装置にセットしておき、矩形形状に鉄心１を成形しながら鉄心搭載具２の上に搭載する。鉄心搭載具２の周囲の有する穴にアイボルトを取付け、完成した鉄心１に力を加えないように吊上げ作業台の上に降ろし、鉄心１の内周に簡易型を取付けて内周を溶接し、また、鉄心１の外周を鋼帯４により固定する（図４参照）。内周の簡易型を外した後、鉄心搭載具２ごと鉄心１を焼鈍炉用のトレーに載せて焼鈍位置まで運搬し、焼鈍処理を行う。
【図面の簡単な説明】
【００１２】
【図１】実施例の鉄心搭載具の正面説明図。
【図２】実施例の鉄心搭載具の側面説明図。
【図３】実施例における鉄心成形完了状態の説明図。
【図４】実施例における鉄心の鋼帯での固定の説明図。
【符号の説明】
【００１３】
１．鉄心
２．鉄心搭載具
３．内周溶接部
４．鋼帯
【図１】
2008186916.tif 000003
【図２】
2008186916.tif 000004
【図３】
2008186916.tif 000005
【図４】
2008186916.tif 000006
(57)【要約】【課題】  マルチチップＬＥＤモジュールと放熱体を兼ねた筐体と定電流電源を組合せ、電球用口金を設けた電球形照明用ＬＥＤランプを提供する。【解決手段】  放熱翼を多段に設けた筐体と光の拡散用レンズによって電球形に形成し、定電流電源回路を内蔵した構成として、口金を設けることによって従来の電球ソケットにそのまま使用できるマルチチップＬＥＤ照明用ランプとする。【選択図】  図１
2008186758.tif 000002
【特許請求の範囲】
【請求項１】
マルチチップＬＥＤモジュールを光源とし、放熱フィンを兼ねた筐体に、定電流電源を内蔵し、電球形状にした口金付きのＬＥＤランプであって、前部に配光を制御するレンズを設けたことを特徴とした電球形照明用ＬＥＤランプ。
【請求項２】
２０Ｗ白熱電球と同等な明るさでありながら約４０倍の寿命が期待でき、かつ消費電力が１／４になった請求項１に記載の電球形照明用ＬＥＤランプ。
【発明の詳細な説明】
【技術分野】
【０００１】
本発明は、マルチチップＬＥＤを光源とした電球形の照明用ＬＥＤランプに関する。
【背景技術】
【０００２】
高出力のＬＥＤは発光効率の改善が進み、年々明るさが増加し、照明用ＬＥＤランプへの応用も進みつつある。この高出力ＬＥＤを集合したり、ランプ形状にしたものが作られているが、配光や光量の問題から照明用として白熱電球の置換えになるものは少ない。また集合したＬＥＤの放熱が大きな課題となっている。
【特許文献１】特開２００５−１６６５７８号公報
【発明の開示】
【発明が解決しようとする課題】
【０００３】
ＬＥＤランプの配光や光量の問題、さらには放熱の課題を解決する方法としては、放熱効率のよいヒートシンクと広角な配光を得るための工夫が必要とされている。
【課題を解決するための手段】
【０００４】
発明者は、白熱電球に近いＬＥＤランプを実現するために鋭意研究の結果、発明者は先に特開２００５−１６６５７８号を開発した。この発明はラージチップを採用した大電流ＬＥＤを用いたもので、それ相当の利用価値はあるが、光度の点で実用性に欠けている。      
【０００５】
本発明は３６個のチップＬＥＤを用い、いかに発熱を効率よく逃すため、白熱電球の形状に似せたヒートシンク兼用の筐体を取付けること、及び光源の前方には配光を制御するレンズを設けることで、２０Ｗの白熱電球に相当する光度を得ることができて、種々の用途に応じた照明光を得ることが可能となった。
【発明の効果】
【０００６】
本発明の電球形照明用ＬＥＤランプは、口金をＥ２６とＥ１７の口径を採用することによって、これまでの白熱電球用の器具に簡単に取付けることができ、また白熱電球と同等の光量でありながら約４０倍（４万時間）の寿命が期待され、電球も含めた消費電力が約５Ｗと１／４の省エネＬＥＤランプとなり、その利用効果は大きい。
【実施例】
【０００７】
本発明のマルチチップＬＥＤモジュールはスモールチップＬＥＤを多数集合したものであって、ラージチップＬＥＤを採用した大電流ＬＥＤより光の取出し効率に優位性があり、放熱筐体との取付け部の熱抵抗を低くでき、これまでのＬＥＤ光源より筐体への取付けが大幅に簡素化できる。
【０００８】
添付図面により本発明を説明すると、図１は本発明の電球形照明用ＬＥＤランプの形状を示す一実施例図で、前方に光を横方向に拡散させる樹脂製の半球状のレンズ（１）を設け、（２）は放熱フィン（３）を兼ねた筐体であって、電球形状の丸形に成形され、全体はアルミ製の筐体であり、多数の放熱用の翼状の凹凸が形成されている。そして、後方には従来の電球形状の口金（６）が装着されていて、普通電球のように照明器具に装着して使用できる。
【０００９】
図２は図１と同様な構造を示していて、実施例図で図１との違いは前方のレンズ（１）を平板の透明樹脂板を用いている点で、このため光は前方向に投光される。
【００１０】
図３は全体の断面図であって、図１および図２の実施例共レンズ（１）の違いはあるが、内部構造は同じである。図において、（４）は本発明ランプの光源となるマルチチップＬＥＤモジュールであり、定電流電源回路（５）が内蔵されている。（６）は電球形状の口金で、Ｅ２６，Ｅ１７口径の２種が使用できる。
【００１１】
図４は本発明のマルチチップＬＥＤモジュール（４）の正面図であって、基板（６）上にチップＬＥＤ（７）が植設されている。図においてはチップＬＥＤ（７）は３直列×１２並列で合計３６個配列されているが、このチップＬＥＤ（７）の数はこれに限ることなく２１個，２７個なども可能である。図５はチップＬＥＤモジュールの内部回路を示して
いる。
【００１２】
本発明に使用したＬＥＤモジュールは、高出力チップ３６個を集合したマルチチップＬＥＤモジュールであって、９０Ｌｍ／Ｗを実現したものである。また白熱電球の置き換えを考えた場合、用途によって演色性がＬＥＤランプにも要求されるが、ＬＥＤモジュールの蛍光体の種類を選択することで用途に応じて白色、高演色性白色、電球色等の照明光の
選択が可能となる。
【産業上の利用可能性】
【００１３】
上述のように本発明のマルチチップＬＥＤを光源とした電球形照明用ＬＥＤランプは１００Ｖの商用電源が使用できるため一般照明用として広く使用できるばかりでなく、白色の他各色のカラーＬＥＤランプとしても使用できるため家庭用としては勿論のことインテリア照明、施設照明としても広く利用可能である。
【図面の簡単な説明】
【００１４】
【図１】本発明の電球形ＬＥＤランプの外観図
【図２】別の実施例による電球形ＬＥＤランプの外観図
【図３】図１Ａ−Ａ断面図
【図４】ＬＥＤ光源モジュールの平面図
【図５】ＬＥＤ光源モジュールの回路図
【符号の説明】
【００１５】
１  レンズ
２  放熱部を兼ねた筐体
３  放熱フィン
４  チップＬＥＤモジュール
５  定電流電源回路
６  基板
７  ＬＥＤチップ
８  口金
【図１】
2008186758.tif 000003
【図２】
2008186758.tif 000004
【図３】
2008186758.tif 000005
【図４】
2008186758.tif 000006
【図５】
2008186758.tif 000007